【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
高電力及び低電力モードを備えたコンピュータのディスクドライブシステムであって、
低電力ディスクドライブ（ＬＰＤＤ）と、
高電力ディスクドライブ（ＨＰＤＤ）と、
前記ＬＰＤＤ内の最小使用ブロック（ＬＵＢ）を識別するＬＵＢモジュールを含む制御モジュールと
を備え、
データ記憶要求及びデータ検索要求の少なくとも１つを受けた時、前記制御モジュールは低電力モード中に前記ＬＵＢを前記ＨＰＤＤに選別的に転送し、
書込みデータの前記記憶要求中、前記書込みデータ用に前記ＬＰＤＤ上に十分なスペースがあれば、前記制御モジュールは前記書込みデータを前記ＬＰＤＤに転送し、
前記制御モジュールは、前記ＬＰＤＤ上に前記書込みデータ用に不十分なスペースしかない場合に前記書込みデータが前記ＬＵＢより前に使用される可能性があるかを判定する適応記憶モジュールを含むディスクドライブシステム。
【請求項２】
前記ＬＰＤＤ上に前記書込みデータ用に不十分なスペースしかなければ、前記制御モジュールは前記ＨＰＤＤを起動し、前記ＬＵＢを前記ＬＰＤＤから前記ＨＰＤＤに転送し、前記書込みデータを前記ＬＰＤＤに転送する、請求項１に記載のディスクドライブシステム。
【請求項３】
前記書込みデータが前記ＬＵＢの後に使用される可能性がある場合、前記制御モジュールは前記書込みデータを前記ＨＰＤＤ上に記憶する、請求項１に記載のディスクドライブシステム。
【請求項４】
前記書込みデータが前記ＬＵＢより前に使用される可能性がある場合、前記制御モジュールは前記ＨＰＤＤを起動し、前記ＬＵＢを前記ＬＰＤＤから前記ＨＰＤＤに転送し、次に前記書込みデータを前記ＬＰＤＤに転送する、請求項１に記載のディスクドライブシステム。
【請求項５】
読取りデータの前記データ検索要求中、前記制御モジュールは前記読取りデータが前記ＬＰＤＤに記憶されていれば、前記読取りデータを前記ＬＰＤＤから検索する、請求項１に記載のディスクドライブシステム。
【請求項６】
前記適応記憶モジュールは、前記読取りデータが前記ＬＰＤＤにない場合に前記読取りデータが１度使用される可能性があるかどうか判定し、前記読取りデータが１度使用される可能性がある場合、前記制御モジュールは前記読取りデータを前記ＨＰＤＤから検索する、請求項５に記載のディスクドライブシステム。
【請求項７】
前記適応記憶モジュールが、前記読取りデータは１度以上使用される可能性があると判定すると、前記制御モジュールは前記ＬＰＤＤ上に前記読取りデータ用に十分なスペースがあれば前記読取りデータを前記ＨＰＤＤから前記ＬＰＤＤに転送する、請求項６に記載のディスクドライブシステム。
【請求項８】
前記読取りデータは１度以上使用される可能性があると前記適応記憶モジュールが判定すると、前記制御モジュールは、前記ＬＰＤＤ上に前記読取りデータ用に十分なスペースがない場合、前記ＬＵＢを前記ＬＰＤＤから前記ＨＰＤＤに転送し、前記読取りデータを前記ＨＰＤＤから前記ＬＰＤＤに転送する、請求項６に記載のディスクドライブシステム。
【請求項９】
前記ＬＰＤＤ上に前記読取りデータ用に十分なスペースがあれば、前記制御モジュールは前記読取りデータを前記ＨＰＤＤから前記ＬＰＤＤに転送する、請求項５に記載のディスクドライブシステム。
【請求項１０】
前記ＬＰＤＤ上に前記読取りデータ用に十分なスペースがない場合、前記制御モジュールは前記ＬＵＢを前記ＬＰＤＤから前記ＨＰＤＤに転送し、前記読取りデータを前記ＨＰＤＤから前記ＬＰＤＤに転送する、請求項５に記載のディスクドライブシステム。
【請求項１１】
前記読取りデータが前記ＬＰＤＤ上にない場合、前記制御モジュールは前記読取りデータを前記ＨＰＤＤから検索する、請求項５に記載のディスクドライブシステム。
【請求項１２】
前記ＨＰＤＤは１つ以上のプラッタを含み、前記１つ以上のプラッタは１．８インチ以上の直径を有する、請求項１に記載のディスクドライブシステム。
【請求項１３】
前記ＬＰＤＤは１つ以上のプラッタを含み、前記１つ以上のプラッタは１．８インチに等しいかそれ以下の直径を有する、請求項１に記載のディスクドライブシステム。
【請求項１４】
高電力及び低電力モードを備えたコンピュータのディスクドライブシステムであって、
低電力ディスクドライブ（ＬＰＤＤ）と、
高電力ディスクドライブ（ＨＰＤＤ）と、
前記ＬＰＤＤ及び前記ＨＰＤＤと通信する制御モジュールと
を備え、
前記低電力モードで書込みデータに対する記憶要求中、前記制御モジュールは前記ＬＰＤＤ上に前記書込みデータ用の十分なスペースがあるかどうかを判定し、十分なスペースがあれば前記書込みデータを前記ＬＰＤＤに転送し、
前記制御モジュールは更に、前記高電力モード中に前記ＬＰＤＤから前記ＨＰＤＤにデータファイルを転送して前記ＬＰＤＤ上で利用可能なディスクスペースを増大するＬＰＤＤ保守モジュールを含むディスクドライブシステム。
【請求項１５】
十分なスペースがなければ、前記制御モジュールは前記書込みデータを前記ＨＰＤＤ上に記憶する、請求項１４に記載のディスクドライブシステム。
【請求項１６】
前記ＬＰＤＤ保守モジュールは、経年、サイズ、前記低電力モードで今後使用する尤度の少なくとも１つに基づいて前記データファイルを転送する、請求項１４に記載のディスクドライブシステム。
【請求項１７】
前記ＨＰＤＤは１つ以上のプラッタを含み、前記１つ以上のプラッタは１．８インチ以上の直径を持ち、前記ＬＰＤＤは１つ以上のプラッタを含み、前記１つ以上のプラッタは１．８インチに等しいかそれ以下の直径を持つ、請求項１４に記載のディスクドライブシステム。
【請求項１８】
高電力及び低電力モードを備えたコンピュータのデータ記憶システムであって、
低電力（ＬＰ）非揮発性メモリと、
高電力（ＨＰ）非揮発性メモリと、
前記ＬＰ及びＨＰ非揮発性メモリと通信する適応記憶モジュールと
を備え、
書込みデータを前記ＬＰ及びＨＰ非揮発性メモリの１つに書き込む場合、前記適応記憶モジュールは前記ＬＰ及びＨＰ非揮発性メモリの１つを選択する適応記憶決定を生成し、
前記適応記憶決定は、前記書込みデータの以前の使用、前記書込みデータのサイズ、前記書込みデータの最後の使用日付、前記書込みデータのマニュアルでの取消し状態と関連した少なくとも１つの電力モードに基づくデータ記憶システム。
【請求項１９】
前記ＬＰ非揮発性メモリはフラッシュメモリと低電力ディスクドライブ（ＬＰＤＤ）の少なくとも１つを含む、請求項１８に記載のデータ記憶システム。
【請求項２０】
前記ＬＰＤＤは１つ以上のプラッタを含み、前記１つ以上のプラッタは１．８インチに等しいかそれ以下の直径を持つ、請求項１９に記載のデータ記憶システム。
【請求項２１】
前記ＨＰ非揮発性メモリは、１つ以上のプラッタを含むハードディスクドライブを備え、前記１つ以上のプラッタは１．８インチ以上の直径を持つ、請求項１８に記載のデータ記憶システム。
【請求項２２】
前記適応記憶モジュールを含むキャッシュ制御モジュールを更に備える、請求項１８に記載のデータ記憶システム。
【請求項２３】
前記適応記憶モジュールを含むホスト制御モジュールを更に備える、請求項１８に記載のデータ記憶システム。
【請求項２４】
前記適応記憶モジュールを含むオペレーティングシステムを更に備える、請求項１８に記載のデータ記憶システム。